(57)【特許請求の範囲】
【請求項１】
天井に埋め込まれて下方を照射する照明装置であって、
筒状であり上側が傾斜開口であるコーンを備えた第１本体部と、
光源を備え、光を出射する側の端縁と、前記傾斜開口とが、近接する状態と離間する状態との間で変化するよう前記第１本体部に回動可能に支持されている第２本体部と、
前記第２本体部の外表面の少なくとも一部を覆うスライドカバーと
を備え、
前記スライドカバーは、回動量に応じてスライドして、前記傾斜開口と前記端縁との間隙を覆う
照明装置。
【請求項２】
請求項１に記載の照明装置であって、
前記第２本体部の外表面には、前記スライドカバーがスライドする方向と平行にレール部が設けられ、
前記スライドカバーは、前記レール部に沿って移動自在なレール係合部を含み、
前記スライドカバーは、前記第２本体部が前記第１本体部に対し回動する場合に、回動に従い自重によってスライドし、前記スライドカバーの下端部が前記第１本体部により支持された状態を維持する、
照明装置。
【請求項３】
請求項２に記載の照明装置であって、
前記レール部は、リブまたは溝で構成され、
前記レール係合部は、前記リブまたは溝に掛合される突状部材である、
照明装置。
【請求項４】
請求項１ないし請求項３のいずれかに記載の照明装置であって、
前記第１本体部は、貫通孔が設けられ天井面に直接固定される枠を含み、
前記第２本体部が所定の回動範囲内の場合に、前記コーン、前記第２本体部、および前記スライドカバーが前記貫通孔を通過可能に配されている、照明装置。
【請求項５】
請求項１ないし請求項４のいずれかに記載の照明装置であって、
前記第２本体部は、
複数の放熱フィン
をさらに有し、
前記複数の放熱フィンは、前記スライドカバーの上端よりも上方に位置する、照明装置。
【請求項６】
請求項１ないし請求項５のいずれかに記載の照明装置であって、
前記スライドカバーの下端部は、前記コーンの外側に位置する、照明装置。
【請求項７】
請求項１ないし請求項６のいずれかに記載の照明装置であって、
前記スライドカバーは、前記第２本体部に対して、微小移動可能に遊嵌されている、照明装置。
【発明の詳細な説明】
【技術分野】
【０００１】
本発明は、天井に埋め込んで用いられる照明装置に関する。
【背景技術】
【０００２】
従来、天井に埋め込んで取り付けられ、下方へ光を照射するダウンライトと呼ばれる照明装置が知られている。特に、近年では、照射方向を自由に変更できるダウンライトが多く使用されている。従来の照射方向を変更可能なダウンライトは、例えば、特許文献１に示されている。
【０００３】
ダウンライトは、一般的に、光源と、光源の下方に配置され、下方へ向かうにつれて拡径する反射板とを有する。特許文献１に記載のダウンライトは、光源であるランプを含む灯具本体と、灯具本体の下方に配置され、下方へ向かうにつれて拡径する補助反射板とを有する（段落０００２〜０００３、段落０００８〜０００９、図１、図５）。
【先行技術文献】
【特許文献】
【０００４】
【特許文献１】実開平６−３６１２４号公報
【発明の概要】
【発明が解決しようとする課題】
【０００５】
この種のダウンライトでは、光源の照射方向を変更可能とするために、灯具本体が回動可能となっている。また、灯具本体が回動した際の補助反射板との接触を回避するために、補助反射板の上部の開口が斜めに傾斜している。このため、灯具と補助反射板との間に間隙が生じる（特許文献１の段落０００３〜０００４、図５参照）。このように、光源を含む部材と、反射板を含む部材との間に間隙が生じると、在室者が、部材間の間隙を介して天井裏を目視する虞がある。
【０００６】
このような問題を解消するために、特許文献１に記載の他のダウンライトでは、灯具側に、補助反射板の内方に侵入可能なフード部を設けている（段落００１０〜００１１、図１、図３）。これにより、在室者が照明装置の裏側を目視するのを防止している。しかしながら、特許文献１の構造では、灯具の回動によりフード部が補助反射板の内部に突出することにより、在室者から見た照明装置の意匠を損ねるという問題が生じる。また、フード部が補助反射板の内部に突出することにより、補助反射板の反射面の一部がフードに隠れる。これにより、光の照射範囲が狭まるという問題もある。
【０００７】
本発明は、このような事情に鑑みなされたものであり、特許文献１とは異なる方法で、部材間の間隙を介して在室者から天井裏が目視されるのを抑制できる照明装置を提供することを目的とする。
【課題を解決するための手段】
【０００８】
上記課題を解決するため、本願の第１発明は、天井に埋め込まれて下方を照射する照明装置であって、筒状であり上側が傾斜開口であるコーンを備えた第１本体部と、光源を備え、光を出射する側の端縁と、前記傾斜開口とが、近接する状態と離間する状態との間で変化するよう前記第１本体部に回動可能に支持されている第２本体部と、前記第２本体部の外表面の少なくとも一部を覆うスライドカバーとを備え、前記スライドカバーは、回動量に応じてスライドして、前記傾斜開口と前記端縁との間隙を覆う。
【発明の効果】
【０００９】
本願の発明によれば、第２本体部の端縁が傾斜開口と離間する位置に配置された際であっても、スライドカバーが第２本体部の端縁と傾斜開口との間隙を覆う。これにより、第２本体部の端縁と傾斜開口との間隙を介して、在室者から天井裏が視認されるのを抑制できる。
【図面の簡単な説明】
【００１０】
【図１】第１実施形態に係る照明装置の斜視図である。
【図２】第１実施形態に係る照明装置の断面図である。
【図３】第１実施形態に係る照明装置の斜視図である。
【図４】第１実施形態に係る照明装置の断面図である。
【図５】第１実施形態に係る照明装置の断面矢視図である。
【発明を実施するための形態】
【００１１】
以下、本発明の好適な実施形態について、図面を参照しつつ説明する。
【００１２】
＜１．第１実施形態＞
図１は、本発明の第１実施形態に係る照明装置１の直立位置における斜視図である。図２は、天井９に取り付けられた照明装置１の直立位置における断面図である。図３は、照明装置１の最大傾斜位置における斜視図である。図４は、天井９に取り付けられた照明装置１の最大傾斜位置における断面図である。
【００１３】
この照明装置１は、天井９に設けられた穴部９１に埋め込んで取り付けられ、下方へ光を照射する、いわゆるダウンライトである。また、この照明装置１は、光の照射方向を変更可能な、いわゆるユニバーサルダウンライトである。図１〜図４に示すように、照明装置１は、天井９に対して固定される静止部２と、静止部２に対して回動可能に支持される回動部３と、スライドカバー４とを有する。より具体的には、照明装置１は、コーン２３を有する第１本体部である静止部２と、光源であるＬＥＤモジュール３２を有する第２本体部である回動部３とが、支点部２０を中心に回動可能に連結されて成る。そして、回動部３を静止部２に対して回動させることで光の照射方向を変更する。
【００１４】
ここで、図２および図４に示す、以下の説明で用いる垂直軸Ｊ１と中心軸Ｊ２について説明する。垂直軸Ｊ１は、コーン部２３の回転中心を表す軸である。中心軸Ｊ２は、ＬＥＤモジュール３２の光軸を表す軸である。垂直軸Ｊ１と中心軸Ｊ２とが成す角が、回動している角度（以下「回動角」という）を表す。以下、回動角が０°である状態の回動部３の位置を「直立位置Ｐａ」といい、回動角θが最大（一例として３５°）である状態の回動部３の位置を「最大傾斜位置Ｐｂ」という。図２および図４は、垂直軸Ｊ１と中心軸Ｊ２とを含む平面における照明装置１の断面図である。
【００１５】
静止部２は、枠２１、取付バネ２２、コーン２３および支持板２４を有する。
【００１６】
枠２１は、天井９に設けられた穴部９１に固定される。枠２１は、その中央に、垂直軸方向に貫通する貫通孔２１０を有する。枠２１は、筒部２１１およびフランジ部２１２を有する。筒部２１１は、天井面９２に対して垂直な垂直軸Ｊ１を中心とした円筒状の部位である。筒部２１１の下端部は、天井面９２付近に配置される。フランジ部２１２は、筒部２１１の下端部から天井面９２に沿って径方向外側へ拡がる。フランジ部２１２は、下方から見て円環状の形状をしている。フランジ部２１２の上面は、天井面９２に沿って配置される。
【００１７】
取付バネ２２は、筒部２１１から径方向外側へと延びる板バネ部材である。この照明装置１は、３つの取付バネ２２を有する。各取付バネ２２の先端は、天井面９の上面に接触する。これにより、フランジ部２１２と取付バネ２２との間に、天井９が挟まれる。その結果、天井に対して枠２１が、より強固に固定される。
【００１８】
コーン２３は、垂直軸Ｊ１に沿って延び、かつ、下方に向かうにつれて拡径する筒状の部材である。コーン２３は、枠２１に対して着脱可能に固定されている。コーン２３の内周面には、鏡面コーティングが施されている。このため、コーン２３の内周面は、反射板の役割を果たす。
【００１９】
コーン２３の上部開口２３１は、垂直軸Ｊ１に対して傾斜する方向に開口する傾斜開口である。コーン２３の下部開口２３２は、垂直軸Ｊ１に対して平行な方向に開口する。すなわち、下部開口２３２は、天井面９２と平行な平面上に配置される。
【００２０】
ここで、上部開口２３１を形成するコーン２３の縁部のうち、最も垂直軸方向下方に配置される部分を上開口下端部２３３と称し、最も垂直軸方向上方に配置される部分を上開口上端部２３４と称する。上開口下端部２３３は、上部開口２３１の縁部のうち、下部開口２３２との垂直軸方向の距離が最も小さい部位である。上開口上端部２３４は、上部開口２３１の縁部のうち、下部開口２３２との垂直軸方向の距離が最も大きい部位である。
【００２１】
支持板２４は、円環部２４１と壁部２４２とを有する。円環部２４１は、コーン２３に固定されている。円環部２４１は、垂直軸Ｊ１を中心とした円環状である。壁部２４２は、円環部２４１から垂直軸方向上方に延びる。壁部２４２は、周方向の一部のみに配置される。上開口下端部２３３は、壁部２４２に覆われない。壁部２４２には、回動部３を回動可能に支持する支点部２０が設けられている。
【００２２】
回動部３は、支点部２０を中心として、回動可能に支持される。これにより、回動部３は、コーン２３を含む静止部２に対して相対的に回動可能である。回動部３は、図１および図２に示す直立位置Ｐａと、図３および図４に示す最大傾斜位置Ｐｂとの間において回動する。直立位置Ｐａでは、回動部３の中心軸Ｊ２が、垂直軸Ｊ１と平行になる。最大傾斜位置Ｐｂでは、回動部３の中心軸Ｊ２が、垂直軸Ｊ１に対して傾斜する。また、回動部３は、直立位置Ｐａと最大傾斜位置Ｐｂとの間の任意の位置において、静止することが可能である。
【００２３】
回動部３は、筐体３１、ＬＥＤモジュール３２、内反射板３３および透光板３４を有する。
【００２４】
筐体３１は、光源収容部５１と、ヒートシンク５２と、レール部５３と、裾部５４とを有する。筐体３１は、中心軸Ｊ２に沿って延びる。
【００２５】
光源収容部５１は、有底筒状の部位である。光源収容部５１は、円筒部５１１と、光源配置部５１２とを有する。円筒部５１１は、中心軸Ｊ２を中心とした円筒状の部位である。光源配置部５１２は、光源収容部５１の底部である。光源収容部５１は、光源配置部５１２が中心軸方向の上側となるように配置される。光源配置部５１２の下面には、光源としてＬＥＤモジュール３２が配置される。このように、光源収容部５１の内部にＬＥＤモジュール３２が収容される。
【００２６】
ヒートシンク５２は、光源配置部５１２の上方に配置される。ヒートシンク５２は、複数の放熱フィン５２１を有する放熱部である。放熱フィン５２１は、光源配置部５１２の上面に立設し、かつ、中心軸Ｊ２に対して放射状に配置される板状の部位である。ヒートシンク５２は、ＬＥＤモジュール３２において発生し、光源配置部５１２を介して伝わった熱を空気中に放散する。
【００２７】
レール部５３は、筐体３１の外表面に設けられたリブである。レール部５３は、光源収容部５１の円筒部５１１の外周面から突出し、中心軸Ｊ２と平行に延びる。本実施形態では、円筒部５１１の外周面に、２本のレール部５３が設けられている。なお、レール部５３は、リブに代えて、中心軸Ｊ２と平行に延びる溝により構成されてもよい。
【００２８】
裾部５４は、光源収容部５１の下端部から中心軸Ｊ２方向下方へと延びる部位である。裾部５４は、周方向の一部に配置される。上開口下端部２３３は、裾部５４に覆われない。裾部５４の周方向両端部付近は、支持板２４に設けられた支点部２０に対して回動可能に取り付けられる。これにより、回動部３が、静止部２に対して回動可能に支持される。
【００２９】
ＬＥＤモジュール３２は、複数のＬＥＤを有する光源である。ＬＥＤモジュール３２は、中心軸Ｊ２に沿って下方へ光を照射する。
【００３０】
内反射板３３は、光源収容部５１の内部に配置される。内反射板３３は、中心軸Ｊ２に沿って延びる筒状の部材である。内反射板３３は、下方に向かうにつれて拡径する。内反射板３３の内周面は、鏡面コーティングが施されている。内反射板３３の上方の開口には、ＬＥＤモジュール３２が配置されている。
【００３１】
透光板３４は、内反射板３３の下方の開口に取り付けられる。透光板３４は、透明な材料により形成される。透光板３４が内反射板３３の下方の開口に取り付けられることにより、内反射板３３の内部が閉鎖空間となる。これにより、埃がＬＥＤモジュール３２へ付着するのが抑制される。また、透光板３４は、ＬＥＤモジュール３２から照射される光を拡散する。なお、透光板３４は、光拡散効果や、集光効果のない単なる透明な板であってもよい。
【００３２】
ＬＥＤモジュール３２から発せられる光は、透光板３４を介して筐体３１の下側の端縁および上部開口２３１を介して、コーン２３内に入射する。すなわち、筐体３１の下側の端縁が、光を出射する側の端縁となる。筐体３１の下側の端縁は、図２に示すように、回動部３が直立状態Ｐａの場合は、上部開口２３１、特に上開口下端部２３３と離れた状態となり、図４に示すように、回動部３が最大傾斜状態Ｐｂの場合は、近接した状態となる。
【００３３】
スライドカバー４は、回動部３の外表面に沿って配置される、湾曲した板状の部材である。スライドカバー４は、回動部３の外表面の少なくとも一部を覆う。スライドカバー４は、被覆部４１と、レール係合部４２とを有する。
【００３４】
被覆部４１は、中心軸方向から見て、中心軸Ｊ２を中心として円弧状に拡がる。筐体３１の外周面の少なくとも一部は、被覆部４１に覆われる。被覆部４１の下端部の周方向略中央付近は、静止部２に接触する。具体的には、被覆部４１の下端部は、支持板２４の円環部２４１の上面に接触する。なお、被覆部４１の下端部は、枠２１やコーン２３等の静止部２の他の部材に接触してもよい。
【００３５】
レール係合部４２は、筐体３１のレール部５３に係合される部位である。具体的には、レール係合部４２は、レール部５３に掛合される突状の部位である。レール係合部４２は、被覆部４１の上端部付近において、周方向の両端部から径方向内側へ突出する。図５は、図２中に示したＡ−Ａ断面における照明装置１の断面矢視図である。図５に示すように、一対のレール係合部４２は、それぞれ、レール部５３の側面（周方向の両側面のうち、他方のレール部５３からの距離が遠い側面）５３１と周方向に隣接する。これにより、筐体３１に対するスライドカバー４の周方向の位置ずれが抑制される。レール係合部４２は、レール部５３に沿って上下にスライド移動可能に取り付けられる。
【００３６】
筐体３１のレール部５３と、スライドカバー４のレール係合部４２とにより、回動部の回動に従ってスライドカバー４を回動部３に対して相対的にスライド移動させるスライド機構６が構成される。スライド機構６は、スライドカバー４を、回動部３に対して中心軸Ｊ２に沿った方向にスライド移動させる。
【００３７】
図１および図２に示すように、回動部３が直立位置Ｐａに配置されると、中心軸Ｊ２は、垂直軸Ｊ１と平行になる。スライドカバー４は、自重により、その下端部が支持板２４の円環部２４１に接触する第１位置Ｐ１に配置される。第１位置Ｐ１において、スライドカバー４は筐体３１よりも下方へ突出する。また、第１位置Ｐ１において、スライドカバー４のレール係合部４２は、レール部５３の最も下方側に配置される。
【００３８】
スライドカバー４は、筐体３１に対して、微小移動可能に遊嵌されている。このように、スライドカバー４と筐体３１との間に遊びを持たせることにより、筐体３１に対してスライドカバー４をスムーズにスライド移動させることができる。また、この照明装置１では、複数の放熱フィン５２１が、スライドカバー４の上端よりも上方に位置する。これにより、スライドカバー４が放熱フィン５２１と接触しないため、筐体３１とスライドカバー４との摩擦をより低減できる。したがって、筐体３１に対してスライドカバー４をよりスムーズにスライド移動させることができる。
【００３９】
回動部３が直立位置Ｐａに配置された場合、コーン２３の上開口下端部２３３と、筐体３１との間に間隙が生じる。そして、図２中に矢印Ａ１で示すように、在室者が、当該間隙を目視できる。このため、照明装置１がスライドカバー４を有していないと仮定すると、在室者が、当該間隙を介して天井裏を視認できる。そうすると、在室者から見た照明装置１の意匠を損ねる。しかしながら、この照明装置１では、当該間隙がスライドカバー４によって覆われることにより、部材間の間隙を介して在室者から天井裏が目視されるのを抑制できる。
【００４０】
図３および図４に示すように、回動部３が最大傾斜位置Ｐｂに配置されると、回動部３とともに、中心軸Ｊ２も傾斜する。例えば、最大傾斜位置Ｐｂにおいて、中心軸Ｊ２は、垂直軸Ｊ１に対して３５°傾斜する。スライドカバー４は、自重により、その下端部が支持板２４の円環部２４１に接触する第２位置Ｐ２に配置される。第２位置Ｐ２におけるスライドカバー４と筐体３１との中心軸方向の重なりは、第１位置Ｐ１におけるスライドカバーと筐体３１との中心軸方向の重なりよりも大きい。
【００４１】
回動部３が最大傾斜位置Ｐｂに配置された場合、筐体３１の一部分は、コーン２３の上開口下端部２３３よりも下方に配置される。このため、在室者は、上開口下端部２３３と筐体３１との間隙を目視できない。
【００４２】
一方、コーン２３の上開口上端部２３４と、筐体３１の光源収容部５１の下端部とは、間隙を空けて配置される。そして、図４中に矢印Ａ２で示すように、在室者が、当該間隙を目視できる。このため、筐体３１が裾部５４を有していないと仮定すると、在室者が、当該間隙を介して天井裏を視認できる。そうすると、在室者から見た照明装置１の意匠を損ねる。しかしながら、この照明装置１では、当該間隙が裾部５４によって覆われることにより、部材間の間隙を介して在室者から天井裏が目視されるのを抑制できる。
【００４３】
上記の通り、回動部３が直立位置Ｐａと最大傾斜位置Ｐｂのいずれに配置された場合であっても、スライドカバー４の下端部は、支持板２４の円環部２４１の上面に接触している。すなわち、第１位置Ｐ１におけるスライドカバー４の下端部の垂直軸方向の高さと、第２位置Ｐ２におけるスライドカバー４の下端部の垂直軸方向の高さとは、略同一である。これにより、スライドカバー４は、コーン２３と筐体３１との間の間隙を、確実に覆うことができる。この効果は、回動部３が、直立位置Ｐ１と最大傾斜位置Ｐ２との間に位置している場合でも同様である。
【００４４】
また、直立位置Ｐ１および最大傾斜位置Ｐ２のいずれの場合にも、スライドカバー４の下端部は、コーン２３の外側に位置する。このため、スライドカバー４の下端部が、コーン２３の内側に突出しない。したがって、スライドカバー４によって、コーン２３の内側の意匠を損ねることがない。また、スライドカバー４によって、光の照射範囲を狭めることもない。
【００４５】
また、この照明装置１は、回動部３が直立位置Ｐａに配置された場合など、回動部３の回動角が所定の範囲内（例えば０°〜４５°など）の場合に、鉛直方向に見て、枠２１の貫通孔２１０を、照明装置１の本体部分（枠２１、取付バネ２２、筒部２２１など枠を構成する部材を除いた部分）が通過できるよう構成されている。このため、照明装置１を天井９に固定する場合、天井９の穴部９１に予め枠２１を固定し、その後で、照明装置１の本体部分を天井９の下側から挿入して設置することができる。
【００４６】
コーン２３、支持板２４、回動部３およびスライドカバー４が、枠２１に対して着脱可能に固定されている。そして、回動部３が直立位置Ｐａに配置された場合、鉛直方向に見て、コーン２３、支持板２４、回動部３およびスライドカバー４は、枠２１の貫通孔２１０内に配置される。このため、照明装置１のメンテナンスを行う際に、コーン２３、支持板２４、回動部３およびスライドカバー４を枠２１の貫通孔２１０を介して、下方へと引き抜いたり、穴部９１の内部へと嵌め込んだりすることができる。したがって、作業者が天井裏に入って、スライドカバー４の取り付けや取り外しを行う必要はない。
【００４７】
＜２．変形例＞
以上、本発明の主たる実施形態について説明したが、本発明は、上記の実施形態に限定されるものではない。
【００４８】
上記の実施形態では、照明装置１について回動角を規定するために垂直軸Ｊ１および中心軸Ｊ２の概念を説明の便宜上用いたが、これに限らず、回動する角度を規定できれば足り、他の軸、規定、基準などを用いてもよい。
【００４９】
上記の実施形態では、回動角の範囲を０°から３５°としたがこれに限らず、ユニバーサルダウンライトとして機能しうる角度であれば足りる。例えば、照明装置１は、直立位置Ｐａ（回動角が０°）とはならない構成とし、回動角のうち最も小さい角が５°、１０°など０°以外の角度であってもよい。同様に、最大傾斜位置Ｐｂは、回動角が３５°の位置に限るものではなく、他の角度であってもよい。
【００５０】
上記の実施形態では、スライドカバーの下端部が枠に接触することにより垂直軸方向の位置が決まったが、本発明はこれに限られず、垂直軸方向の位置が決まる構成であれば足りる。例えば、スライドカバーの下端部は、枠以外の静止部の部材に接触することにより垂直軸方向の位置が決まってもよい。
【００５１】
また、上記の実施形態では、スライド機構が回動部側に設けられたレール部と、スライドカバーに設けられたレール係合部とにより構成された。しかしながら、本発明はこれに限られず、回動部の回動に応じて、スライドカバーが、回動部の下側の端縁と、コーンの上部開口との間隙を覆うことができる構成であれば足りる。例えば、スライド機構は、静止部側に設けられたスライドカバーを回動可能に保持する回動支点部と、スライドカバーを筐体の外表面方向へと付勢する付勢部材とにより構成されてもよい。その場合であっても、スライド機構は、回動部の回動に従って、筐体とスライドカバーとを中心軸方向に相対的にスライド移動できる。
【００５２】
また、上記の実施形態では、光源としてＬＥＤ光源を用いているが、本発明はこれに限られない。光源として白熱球や蛍光灯等の他の光源を用いてもよい。
【００５３】
また、上記の各実施形態や変形例に登場した各要素を、矛盾が生じない範囲で、任意に組み合わせてもよい。
【００５４】
＜３．発明の抽出＞
上記の実施形態および変形例から抽出される発明として、例えば、以下の発明を挙げることができる。
【００５５】
第１発明は、天井に埋め込まれて下方を照射する照明装置であって、筒状であり上側が傾斜開口であるコーンを備えた第１本体部と、光源を備え、光を出射する側の端縁と、前記傾斜開口とが、近接する状態と離間する状態との間で変化するよう前記第１本体部に回動可能に支持されている第２本体部と、前記第２本体部の外表面の少なくとも一部を覆うスライドカバーとを備え、前記スライドカバーは、回動量に応じてスライドして、前記傾斜開口と前記端縁との間隙を覆う。
【００５６】
第２発明は、第１発明の照明装置であって、前記第２本体部の外表面には、前記スライドカバーがスライドする方向と平行にレール部が設けられ、前記スライドカバーは、前記レール部に沿って移動自在なレール係合部を含み、前記スライドカバーは、前記第２本体部が前記第１本体部に対し回動する場合に、回動に従い自重によってスライドし、前記スライドカバーの下端部が前記第１本体部により支持された状態を維持する。
【００５７】
第３発明は、第２発明の照明装置であって、前記レール部は、リブまたは溝で構成され、前記レール係合部は、前記リブまたは溝に掛合される突状部材である。
【００５８】
第４発明は、第１発明ないし第３発明のいずれかの照明装置であって、前記第１本体部は、貫通孔が設けられ天井面に直接固定される枠を含み、前記第２本体部が所定の回動範囲内の場合に、前記コーン、前記第２本体部、および前記スライドカバーが前記貫通孔を通過可能に配されている。
【００５９】
第５発明は、第１発明ないし第４発明のいずれかの照明装置であって、前記第２本体部は、複数の放熱フィンをさらに有し、前記複数の放熱フィンは、前記スライドカバーの上端よりも上方に位置する。
【００６０】
第６発明は、第１発明ないし第５発明のいずれかの照明装置であって、前記スライドカバーの下端部は、前記コーンの外側に位置する。
【００６１】
第７発明は、第１発明ないし第６発明のいずれかの照明装置であって、前記スライドカバーは、前記第２本体部に対して、微小移動可能に遊嵌されている。
【００６２】
第１発明〜第７発明によれば、第２本体部の端縁が傾斜開口と離間する位置に配置された際であっても、スライドカバーが第２本体部の端縁と傾斜開口との間隙を覆う。これにより、第２本体部の端縁と傾斜開口との間隙を介して、在室者から天井裏の配線等が視認されるのを抑制できる。
【００６３】
特に、第４発明によれば、照明装置のメンテナンスを行う際に、コーン、第２本体部およびスライドカバーを枠の貫通孔を介して、下方へと引き抜いたり、天井へと嵌め込んだりすることができる。
【００６４】
特に、第５発明および第７発明によれば、第２本体部に対してスライドカバーをよりスムーズにスライド移動させることができる。
【００６５】
特に、第６発明によれば、スライドカバーの下端部が、コーンの内側に突出しない。このため、スライドカバーによって、コーンの内側の意匠を損ねることがない。また、スライドカバーによって、光の照射範囲を狭めることもない。
【符号の説明】
【００６６】
１  照明装置
２  静止部
３  回動部
４  スライドカバー
６  スライド機構
９  天井
２１  枠
２３  コーン
３１  筐体
３２  ＬＥＤモジュール
４２  レール係合部
５１  光源収容部
５２  ヒートシンク
５３  レール部
９１  穴部
９２  天井面
２１０  貫通孔
２３１  上部開口
２３２  下部開口
５２１  放熱フィン
Ｊ１    垂直軸
Ｊ２    中心軸
【図１】
0006405340.tif 000002
【図２】
0006405340.tif 000003
【図３】
0006405340.tif 000004
【図４】
0006405340.tif 000005
【図５】
0006405340.tif 000006